(57)【特許請求の範囲】
【請求項１】
互いに対向する足場用建枠の横材間に架け渡される足場板において、足場板本体の各端部に、足場用建枠の横材を挟んでその両側に架け渡される双方の足場板の対向端部の隙間を塞ぐ隙間板と、前記横材に対し上方向から嵌脱自在なフック部材とを突設すると共に、前記横材に対し水平方向に係脱自在な浮き上がり防止用のロック部材をバネによって常時前記横材に係合するように付勢して設け、このロック部材を前記バネの付勢力に抗して前記横材から離脱させるように操作する操作部材を足場板本体の下面側に設け、且つ前記ロック部材は、横方向に交互に形成された凹欠部と凸片部を有すると共に、足場板本体一端部側のロック部材の凹欠部又は凸片部とこれに対向する足場板本体他端部側のロック部材の凸片部又は凸片部とが互いに凹凸嵌合する位置に設けられている足場板。
【請求項２】
前記隙間板は、フック部材の取り付けられる部分が切除されている請求項１に記載の足場板。
【発明の詳細な説明】
【０００１】
【発明の属する技術分野】
本発明は、建設作業現場で枠組みされる仮設枠組足場において、一定間隔おきに立設された互いに対向する足場用建枠の横材間に架け渡される足場板に関するものである。
【０００２】
【従来の技術】
図１３は、建設作業現場で枠組みされた仮設枠組足場の一部を示したもので、各足場用建枠１は、一対の縦材３，３と、両縦材３，３をつなぐ横材２，２と、補強材６，６とによって形成され、上下複数段に継ぎ足される。足場板５は、足場板本体６とこれの両端部に夫々突設された係止フック７，７とからなる従来構造のもので、一定間隔おきに立設された対向する足場用建枠１，１の横材２，２間に２枚１組で並列状態に架け渡されて、作業通路を形成する。
【０００３】
【発明が解決しようとする課題】
従来の足場板５は、上記のように足場板本体６の両端部に夫々係止フック７，７を突設した構造であるから、この足場板５を、対向する足場用建枠１，１の横材２，２間に架け渡した時に、各足場用建枠１の横材２を挟んでその両側にある足場板５，５の対向端部間に隙間Ｓが生じる。このような隙間Ｓが作業通路に一定間隔おきに存在すると、ボルト・ナット等の金具を誤って隙間Ｓから落としてしまった時、その金具が下方の同様な作業通路で作業中の作業者に当たって怪我をさせるおそれがある。また、作業通路に隙間Ｓがあると、作業者が隙間Ｓに足を引っ掛け、転んでしまうおそれがあるなど、非常に危険である。
【０００４】
このような問題を回避するために、上記の隙間に隙間カバーを嵌め込むようにすることが考えられるが、足場の組み立て時にその隙間ごとに一々カバーを嵌め込むには非常に手間がかかり、余分な作業を強いられることになる。そこで、本発明は、足場板本体の端部に上記隙間を塞ぐ隙間板を一体的に取り付けておいて、足場板を足場用建枠の横材間に架け渡すだけで、上記隙間を塞ぐことができる足場板を提供することを目的とする。
【０００５】
【課題を解決するための手段】
請求項１に係る発明は、互いに対向する足場用建枠１，１の横材２，２間に架け渡される足場板１０において、足場板本体８の各端部に、足場用建枠１の横材２を挟んでその両側に架け渡される双方の足場板１０，１０の対向端部の隙間Ｓを塞ぐ隙間板１１と、前記横材２に対し上方向から嵌脱自在なフック部材１２とを突設すると共に、前記横材２に対し水平方向に係脱自在な浮き上がり防止用のロック部材１３，１３′をバネ１４によって常時前記横材２に係合するように付勢して設け、このロック部材１３，１３′を前記バネ１４の付勢力に抗して前記横材２から離脱させるように操作する操作部材１５を足場板本体８の下面側に設け、且つ前記ロック部材１３，１３′は、横方向に交互に形成された凹欠部ｏと凸片部ｔを有すると共に、足場板本体一端部側のロック部材１３の凹欠部ｏ又は凸片部ｔとこれに対向する足場板本体他端部側のロック部材１３′の凸片部ｔ又は凹欠部ｏとが互いに凹凸嵌合する位置に設けられていることを特徴とする。
【０００７】
請求項２は、請求項１に記載の足場板において、前記隙間板１１は、フック部材１２の取り付けられる部分が切除されていることを特徴とする。
【０００８】
【発明の実施の形態】
以下に、本発明に係る足場板の実施形態について、図１〜図１２、及び従来例を示す図１３を参照しながら詳細に説明する。図１は本発明の足場板１０を示したもので、（Ａ）はその平面図、（Ｂ）は側面図、（Ｃ）は裏面図である。図２は図１の（Ｃ）の矢印Ｖで示される部分の拡大図、図３は図２のＸ−Ｘ断面図、図４は図１の（Ｃ）の矢印Ｗで示される部分の拡大図である。
【０００９】
足場板１０は足場板本体８を有し、この足場板本体８は、表面板ａの下面側に複数の補強縦桟ｂと補強横桟ｃとを井桁状に枠組みしてなるもので、表面板ａの幅方向各側端部（左右各端部）は断面コ字状に形成されている。この足場板本体８の長手方向各端部（前後各端部）には、足場用建枠１の横材２（図４及び図１３参照）を挟んでその両側に架け渡される双方の足場板１０，１０の対向端部の隙間Ｓを塞ぐ隙間板１１と、前記横材２に対し上方向から嵌脱自在なフック部材１２とが突設されると共に、前記横材２に対し水平方向に係脱自在な浮き上がり防止用のロック部材１３，１３′がバネ１４によって常時足場用建枠１の横材２に係合するように付勢して設けられ、そしてバネ１４の付勢力に航して前記ロック部材１３，１３′を前記横材２から離脱させるように操作する操作部材１５が足場板本体８の下面側に設けられている。
【００１０】
各隙間板１１は、図７の（Ｂ）及び図８の（Ｂ）に示すように、断面コ字状の取付枠部１５と一体に形成されたもので、この隙間板１１とコ字状取付枠部１６とはアルミニウム押し出し型材からなり、コ字状取付枠部１６を足場板本体８の前後各端部に嵌合し、足場板本体８の表面板ａにかしめ加工することによって、各隙間板１１が足場板本体８の前後各端部に取り付け固定される。また、図１の（Ａ）及び（Ｃ）から分かるように、各隙間板１１の左右両端部は、フック部材１２の取り付けられる部分が、フック部材１２の厚さの約２．５倍分くらいの幅をもって切除されており、その切除部分を同図に１１ａで示している。
【００１１】
各フック部材１２は、厚い鉄板によって形成されたもので、足場用建枠１の横材２に対し上方向から嵌合する円弧状の嵌合部１２ａを有し、足場板本体８の前後端部における左右各端に固着されている。各ロック部材１３，１３′は、図４〜図８から分かるように、横断面略コ字状のアルミニウム押し出し型材からなるもので、その上辺部及び下辺部には夫々、凹欠部ｏと凸片部ｔとが横方向に、即ちロック部材長手方向に交互に形成されており、そして足場板本体８の一端部側にあるロック部材１３の凹欠部ｏと、これと対向する（足場板本体８の長手方向に対向する）足場板本体８の他端部側にあるロック部材１３′の凸片部ｔとが互いに凹凸嵌合すると共に、足場板本体一端側のロック部材１３の凸片部ｔと、これに対向する足場板本体他端部側のロック部材１３′の凹欠部ｏとが互いに凹凸嵌合する位置に設けられている。
【００１２】
上記ロック部材１３，１３′の取付構造について更に説明すると、各ロック部材１３，１３′は、図１の（Ｃ）から分かるように、足場板本体８内にその長手方向にスライド自在に支持される両側一対のスライド支持杆１７，１７の先端部に一体移動可能に取り付けられている。両スライド支持杆１７，１７は、足場板本体８の端部にあるコ字状取付枠部１６と、足場板本体８の中央部寄りの位置にある補強横桟ｃとを貫通して、これらにスライド自在に支持されていると共に、補強横桟ｃと各スライド支持杆１７の間に介装されたコイルバネ１４によって、図１の（Ａ）及び（Ｃ）に示すように常時は前記隙間板１１よりも先方に位置するように付勢されている。
【００１３】
操作部材１５は、両スライド支持杆１７，１７の内方端部側にこれらスライド支持杆１７，１７を一体的につなぐように取り付けられていて、両側にある補強縦桟ｂ，ｂの夫々内側面に沿って案内される。また、図２、図３、図５及び図６に示すように、各スライド支持杆１７の内方端部は径小軸部１７ａを形成しており、この径小軸部１７ａに前記コイルバネ１４が嵌挿されると共に、補強横桟ｃを貫通した径小軸部１７ａの先端部にストッパー１８が取り付けてあって、このストッパー１８が図３に示すように補強横桟ｃのところで係止されることにより、スライド支持杆１７，１７の抜け出しが阻止される。
【００１４】
各ロック部材１３，１３′は、非使用時は、図１の（Ａ）及び（Ｃ）に示すように各隙間板１１よりも先方に突出しており、しかして足場板１０を足場用建枠１の横材２に掛止させる際には、図５に示すように各操作部材１５を手で持ってバネ１４の付勢力に抗して内方側へ引張操作することにより、スライド支持杆１７，１７を内方側へスライドさせ、しかして各ロック部材１３，１３′を図７に示すようにコ字状取付枠部１６に当接する状態まで引っ込めた後、各ロック部材１３，１３′が足場用建枠１の横材２に水平方向に対向する位置で各操作部材１５を離すと、バネ１４の付勢力でスライド支持杆１７，１７が押されて、各ロック部材１３，１３′が図６及び図８に示すように足場用建枠１の横材２に係合し、足場板本体８の浮き上がりが防止される。
【００１５】
尚、図５は、足場板１０を足場用建枠１の横材２に掛止させるにあたって、操作部材１５によりロック部材１３，１３′をバネ１４の付勢力に抗して横材２から離脱させるように操作している状態を示す斜視図で、内部構造が分かるように足場板本体８の表面板ａの一部ａｏを取り外した状態で示し、同図の（ａ）は内部構造の一部を拡大したものである。図６は、各ロック部材１３，１３′が足場用建枠１の横材２に係合したロック状態を示す斜視図で、同図の（ａ）は内部構造の一部を拡大したものである。また図５及び図６では、ロック部材１３，１３′の外観形状がよく分かるように、その上辺部の中央部分を長方形状に切除しており、その切除部分を２点鎖線で示している。
【００１６】
また、図７の（Ａ）は、各フック部材１２が足場用建枠１の横材２に嵌合し、各ロック部材１３，１３′が横材２から離脱したロック解除状態を示す側面図、（Ｂ）は縦断面図であり、図８の（Ａ）は各フック部材１２及び各ロック部材１３，１３′が横材２に係合したロック状態を示す側面図、（Ｂ）はその縦断面図である。
【００１７】
図９は、以上説明したような構成よりなる足場板１０を２枚１組で、対向する足場用建枠１，１の横材２，２間に架け渡して、各横材２の両側にある足場板１０，１０の対向端部間の隙間Ｓを、両足場板１０，１０の互いに対向する隙間板１１，１１で塞いだ状態を示し、図１０は図９のＹ−Ｙ線拡大断面図である。
【００１８】
この足場板１０によれば、一人の作業員だけで横材２への架け渡し作業を行うことができる。即ち、足場板本体８の下面側に操作部材１５が一対設けてあるから、作業員が、両方の操作部材１５，１５を両手で握って互いに対向方向に引き寄せ、ロック部材１３，１３′を非係合状態（ロック解除状態）にしたままで、足場板１０を持ち上げ、しかして先に両端部のフック部材１２，１２を、対向する足場用建枠１，１の横材２，２に上方から嵌合させ、この状態で両方の操作部材１５，１５を離すと、各バネ１４の付勢力によりスライド支持杆１７が先方側へ水平方向にスライドして、各ロック部材１３，１３′が横材２に嵌合する。
【００１９】
これによって、足場板１０が両足場用建枠１，１の対向する横材２，２間に架け渡され、各ロック部材１３，１３′によって足場板本体８の浮き上がりが防止されると共に、各横材２の両側にある足場板１０，１０の対向端部間の隙間Ｓが、両足場板１０，１０の互いに対向する隙間板１１，１１によって塞がれることになる。
【００２０】
このように、足場板１０の架け渡し作業、浮き上がり防止のためのロック部材１３，１３′のロック作業、及び足場板１０，１０間の隙間Ｓの塞ぎ作業を一人の作業員で容易に行うことができる。足場板１０を解体する時には、ロック状態にあるロック部材１３，１３′を作業員が両手で対向方向に引き寄せて、ロック解除した状態でそのまま持ち上げればよいから、足場板１０の解体作業もきわめて簡単容易に行える。
【００２１】
そして、この足場板１０によれば、足場板１０，１０間の隙間Ｓが、両足場板１０，１０の互いに対向する隙間板１１，１１によって塞がれるから、その隙間Ｓからのボルト・ナット等の落下を防止できると共に、作業者が隙間Ｓに足を引っ掛け、転んでしまうおそれがなくなり、作業上の安全を確保できる。
【００２２】
また、この足場板１０の各ロック部材１３，１３′は、足場板本体８の一端部側にあるロック部材１３の凹欠部ｏと、これと対向する足場板本体８の他端部側にあるロック部材１３′の凸片部ｔとが互いに凹凸嵌合すると共に、足場板本体一端側のロック部材１３の凸片部ｔと、これに対向する足場板本体他端部側のロック部材１３′の凹欠部ｏとが互いに凹凸嵌合する位置に設けられているから、足場用建枠１の横材２においては、図４に示すように、一方の足場板１０の一端側にあるロック部材１３の凹欠部ｏ又は凸片部ｔと、他方の足場板１０の対向端側にあるロック部材１３′の凸片部ｔ又は凹欠部ｏとが互いに凹凸嵌合し、それによって両方の足場板１０，１０が互いに横方向にずれるのを防止でき、また前記隙間Ｓを塞いでいる両足場板１０，１０の隙間板１１，１１が、両足場板１０，１０の足場板本体８，８と間に段差を生ぜず、ほとんど面一状態となって、作業者が足を引っ掛けるおれがない。
【００２３】
更に、各ロック部材１３，１３′は、足場板本体８内にその長手方向にスライド自在に支持されると共にコイルバネ１４によって付勢されたスライド支持杆１７の先端部に取り付けられていて、常時はコイルバネ１４の付勢力で隙間板１１よりも先方に位置するようになっているから、図１１及び図１２に示すように、複数枚の足場板１０を積み重ねておく時に、上段側の足場板１０のロック部材１３，１３′が下段側の足場板１０の隙間板１１に当たらず、従って図１２のように各足場板１０の足場板本体８どうしを密接状態で積み重ねることができる。
【００２４】
更にまた、各隙間板１１は、フック部材１２の取り付けられる部分が切除されているから、フック部材１２が足場板本体８の上面より高く突出していても、そのフック部材１２の突出高さに関係なく、隙間板１１を足場板本体８の端部に足場板本体８の上面に沿うように設けることができ、それにより隙間板１１と足場板本体８上面との間に段差ができるのを回避することができる。
【００２５】
【発明の効果】
請求項１に係る発明の足場板によれば、各フック部材を足場用建枠の横材に対し上方向から嵌合して、足場板を対向する足場用建枠の横材間に架け渡すことによって、足場板間の隙間を、この隙間を挟んで対向する両足場板の隙間板で塞くことができるから、その隙間からのボルト・ナット等の落下を防止できると共に、作業者が隙間に足を引っ掛け、転んでしまうおそれがなくなり、作業上の安全を確保できる。
【００２６】
特に、この足場板では、一人の作業員だけで横材への架け渡し作業が行える。即ち、足場板本体の下面側にある両方の操作部材を両手で握って対向方向に引き寄せ、ロック部材をロック解除した状態で足場板を持ち上げ、両端部のフック部材を対向する足場用建枠の横材に上方から嵌合した状態で、両方の操作部材を離せば、バネの付勢力によって各ロック部材が横材に係合すると共に、各ロック部材によって足場板本体の浮き上がりが防止される。これと同時に、足場板間の隙間が両足場板の対向する隙間板によって塞がれる。
【００２７】
このように足場板の架け渡し作業、浮き上がり防止のためのロック部材のロック作業、及び足場板間の隙間の塞ぎ作業を一人の作業員で容易に行うことができる。足場板の解体時には、ロック状態にあるロック部材を作業員が両手で対向方向に引き寄せて、ロック解除した状態でそのまま持ち上げればよいから、足場板の解体作業もきわめて簡単容易に行うことができる。
【００２８】
また、本発明の足場板によれば、足場板を対向する足場用建枠の横材間に架け渡すことによって、横材を挟んでその一方の足場板の一端側にあるロック部材の凹欠部又は凸片部と、他方の足場板の対向端側にあるロック部材の凸片部又は凹欠部とが凹凸嵌合し、それによって両方の足場板が互いに横方向にずれるのを防止することができる。
【００２９】
請求項２に係る発明の足場板によれば、隙間板はフック部材の取り付けられる部分が切除されているから、フック部材が足場板本体の上面より高く突出していても、そのフック部材の突出高さに関係なく、隙間板を足場板本体の端部に足場板本体の上面に沿うように設けることができ、それにより隙間板と足場板本体上面との間に段差ができるのを回避することができる。
【図面の簡単な説明】
【図１】  本発明に係る足場板を示すもので、（Ａ）はその平面図、（Ｂ）
は側面図、（Ｃ）は裏面図である。
【図２】  図１の（Ｃ）の矢印Ｖで示される部分の拡大図である。
【図３】  図２のＸ−Ｘ断面図である。
【図４】  図１の（Ｃ）の矢印Ｗで示される部分の拡大図である。
【図５】  操作部材によりロック部材をバネに抗して横材から離れるように操作している状態を示す足場板の斜視図であり、（ａ）は内部構造の一部を拡
大したものである。
【図６】  各ロック部材が足場用建枠の横材に係合した状態を示す足場板の
斜視図で、（ａ）は内部構造の一部を拡大したものである。
【図７】  （Ａ）は各フック部材が横材に係合し、各ロック部材が非係合位
置にある状態を示す側面図、（Ｂ）は縦断面図である。
【図８】  （Ａ）は各フック部材及び各ロック部材が横材２に係合した状態
を示す側面図、（Ｂ）はその縦断面図である。
【図９】  図９は足場板を２枚１組で、対向する足場用建枠の横材間に架け
渡した状態を示す平面図である。
【図１０】  図９のＹ−Ｙ線拡大断面図である。
【図１１】  足場板を複数段に重ねた状態を示す斜視図である。
【図１２】  足場板を複数段に重ねた状態での側面図である。
【図１３】  従来の足場板の使用状態を示す斜視図である。
【符号の説明】
１                足場用建枠
２                足場用建枠の横材
Ｓ                足場板間の隙間
８                足場板本体
１０              足場板
１１              隙間板
１２              フック部材
１３，１３′      ロック部材
ｏ                ロック部材の凹欠部
ｔ                ロック部材の凸片部
１４              バネ
１５              操作部材
１６              コ字状取付枠部
１７              スライド支持杆
【図１】
0003869652.tif 000002
【図２】
0003869652.tif 000003
【図３】
0003869652.tif 000004
【図４】
0003869652.tif 000005
【図５】
0003869652.tif 000006
【図６】
0003869652.tif 000007
【図７】
0003869652.tif 000008
【図８】
0003869652.tif 000009
【図９】
0003869652.tif 000010
【図１０】
0003869652.tif 000011
【図１１】
0003869652.tif 000012
【図１２】
0003869652.tif 000013
【図１３】
0003869652.tif 000014